(57)【特許請求の範囲】
【請求項１】
四辺形状の表示素子領域に２０個のセグメントが配置されて構成されており、
前記表示素子領域が縦方向および横方向に並ぶ５行５列の合計２５個の表示区画に分割された状態において、縦方向に並ぶ５行を上から下に第１行、第２行、第３行、第４行および第５行とし、横方向に並ぶ５列を左から右に第１列、第２列、第３列、第４列および第５列としたとき、
（１）第１行における５個の表示区画のうち、第１列および第５列に属する表示区画には、各々独立の１個のセグメントが配置されると共に、第２列、第３列および第４列に属する表示区画には、これらの表示区画にわたって連続する1個のセグメントが配置され、
（２）第２行における５個の表示区画には、各々独立の１個のセグメントが配置され、
（３）第３行および第４行における各５個の表示区画のうち、第３行第１列、第３行第２列、第３行第３列および第３行第４列の表示区画、並びに、第４行第１列、第４行第２列、第４行第３列および第４行第４列の表示区画には、各々独立の１個のセグメントが配置されると共に、第３行第５列および第４行第５列の表示区画には、これらの表示区画にわたって連続する1個のセグメントが配置され、
（４）第５行における５個の表示区画のうち、第１列および第５列に属する表示区画には、各々独立の１個のセグメントが配置されると共に、第２列、第３列および第４列に属する表示区画には、これらの表示区画にわたって連続する1個のセグメントが配置されており、
当該２０個のセグメントから選ばれた少なくとも１個以上のセグメントが動作状態とされることにより文字または記号の表示を行う表示素子を有し、
当該表示素子において、サイズの大きい数字０ないし９、サイズの小さい数字０ないし９、大文字のアルファベットＡないしＺ、および、小文字のアルファベットａないしｚの全ての文字が表示可能であることを特徴とする表示装置。
【請求項２】
前記表示素子の複数が並んで設けられていることを特徴とする請求項１に記載の表示装置。
【請求項３】
前記表示素子領域を構成する２０個のセグメントが、各々、四辺形状であることを特徴とする請求項１または請求項２に記載の表示装置。
【請求項４】
第２行、第３行および第４行に属する表示区画に配置されたセグメントの各々において、第２列および第４列に属する表示区画に配置されたセグメントの横方向の幅が、第１列、第３列および第５列に属する表示区画に配置されたセグメントの横方向の幅よりも小さいことを特徴とする請求項１〜請求項３のいずれかに記載の表示装置。
【請求項５】
前記表示素子領域が、全体の形状が縦長の平行四辺形状であって、上方に向かうに従って右に変位するように斜傾していることを特徴とする請求項１〜請求項４のいずれかに記載の表示装置。
【請求項６】
ガス検知器の表示部を構成することを特徴とする請求項１〜請求項５のいずれかに記載の表示装置。
【発明の詳細な説明】
【技術分野】
【０００１】
本発明は、文字や記号を表示する表示素子を有する表示装置に関する。
【背景技術】
【０００２】
例えば電子計測機器やデジタル時計などの電子機器に文字や記号を表示するために用いられる表示装置においては、表示方式としてセグメント表示方式またはドットマトリクス表示方式による表示素子を並べて特定の情報を表示することが一般的に行われている。
【０００３】
セグメント表示方式の表示素子としては、例えばデジタル時計などの表示部のように７セグメント表示方式によるものが知られている。この７セグメント表示方式の表示素子は、７個のセグメントのうち選択されたセグメントが動作状態とされることにより、０ないし９の数字を表示することができる。
【０００４】
また、ドットマトリクス表示方式の表示素子においては、マトリクス状に設けられた表示ドットのうち選択された表示ドットが動作状態とされることにより、数字やアルファベットなどの種々の文字や記号を表示することができる。
【０００５】
ガス検知器においては、例えば、表示部にガスの種類やその濃度を表示する必要があるため、サイズの異なる大小の数字、大文字や小文字のアルファベット、特殊記号などの多様な文字や記号が表示可能である表示素子、具体的には、「ＣＯ2 」などの添字を含む表示や、「ｖｏｌ％」などの小文字のアルファベットと記号とを含む表示が可能である表示素子が求められている。また、ガス検知器が可搬式のものである場合においては、検知器本体が小型であるため、表示装置として駆動電圧が低いものが求められている。
【０００６】
しかしながら、従来の表示素子による表示装置においては、表示可能な文字や記号が限定されており、例えば添字を含む表示を行うことは難しい（例えば特許文献１参照）。
【０００７】
一方、ドットマトリクス表示方式の液晶表示素子においては、種々の文字や記号を表示することが可能であるものの、多数の表示ドットを駆動するために高い駆動電圧が必要になるという問題がある。
【先行技術文献】
【特許文献】
【０００８】
【特許文献１】特開２０００−４７６０３号公報
【発明の概要】
【発明が解決しようとする課題】
【０００９】
本発明は、以上のような事情を背景としてなされたものであって、その目的は、少ないセグメントによっても多くの文字や記号が表示可能な表示素子を有する表示装置を提供することにある。
【課題を解決するための手段】
【００１０】
本発明の表示装置は、四辺形状の表示素子領域に２０個のセグメントが配置されて構成されており、
前記表示素子領域が縦方向および横方向に並ぶ５行５列の合計２５個の表示区画に分割された状態において、縦方向に並ぶ５行を上から下に第１行、第２行、第３行、第４行および第５行とし、横方向に並ぶ５列を左から右に第１列、第２列、第３列、第４列および第５列としたとき、
（１）第１行における５個の表示区画のうち、第１列および第５列に属する表示区画には、各々独立の１個のセグメントが配置されると共に、第２列、第３列および第４列に属する表示区画には、これらの表示区画にわたって連続する1個のセグメントが配置され、
（２）第２行における５個の表示区画には、各々独立の１個のセグメントが配置され、
（３）第３行および第４行における各５個の表示区画のうち、第３行第１列、第３行第２列、第３行第３列および第３行第４列の表示区画、並びに、第４行第１列、第４行第２列、第４行第３列および第４行第４列の表示区画には、各々独立の１個のセグメントが配置されると共に、第３行第５列および第４行第５列の表示区画には、これらの表示区画にわたって連続する1個のセグメントが配置され、
（４）第５行における５個の表示区画のうち、第１列および第５列に属する表示区画には、各々独立の１個のセグメントが配置されると共に、第２列、第３列および第４列に属する表示区画には、これらの表示区画にわたって連続する1個のセグメントが配置されており、
当該２０個のセグメントから選ばれた少なくとも１個以上のセグメントが動作状態とされることにより文字または記号の表示を行う表示素子を有し、
当該表示素子において、サイズの大きい数字０ないし９、サイズの小さい数字０ないし９、大文字のアルファベットＡないしＺ、および、小文字のアルファベットａないしｚの全ての文字が表示可能であることを特徴とする。
【００１１】
本発明の表示装置においては、前記表示素子の複数が並んで設けられている構成とすることができる。
【００１２】
本発明の表示装置においては、前記表示素子領域を構成する２０個のセグメントが、各々、四辺形状であることが好ましい。
【００１３】
本発明の表示装置においては、第２行、第３行および第４行に属する表示区画に配置されたセグメントの各々において、第２列および第４列に属する表示区画に配置されたセグメントの横方向の幅が、第１列、第３列および第５列に属する表示区画に配置されたセグメントの横方向の幅よりも小さいことが好ましい。
【００１４】
本発明の表示装置においては、前記表示素子領域が、全体の形状が縦長の平行四辺形状であって、上方に向かうに従って右に変位するように斜傾していることが好ましい。
【００１６】
本発明の表示装置においては、ガス検知器の表示部を構成することが好ましい。
【発明の効果】
【００１７】
本発明の表示装置によれば、表示素子が２０個のセグメントによって特定の配置態様で配置されて構成されていることにより、多様な文字や記号が表示可能であり、しかも、セグメントの数が少ないので要する駆動電圧は低いものとなる。
【図面の簡単な説明】
【００１８】
【図１】本発明の表示装置の一構成例を示す説明用平面図である。
【図２】本発明の表示装置の表示素子におけるセグメントの配置態様を示す説明図である。
【図３】本発明の表示装置の表示素子によるサイズの大きい数字の一表示例を示す図である。
【図４】本発明の表示装置の表示素子によるサイズの小さい数字の一表示例を示す図である。
【図５】本発明の表示装置の表示素子による大文字のアルファベットの一表示例を示す図である。
【図６】本発明の表示装置の表示素子による小文字のアルファベットの一表示例を示す図である。
【図７】本発明の表示装置の表示素子による記号の一表示例を示す図である。
【図８】本発明の表示装置の他の構成例を示す説明用平面図である。
【図９】本発明の表示装置のさらに他の構成例を示す説明用平面図である。
【発明を実施するための形態】
【００１９】
以下、本発明について詳細に説明する。
【００２０】
本発明の表示装置は、四辺形状の表示素子領域に２０個のセグメントが配置されて構成されており、この２０個のセグメントが、各々、表示素子領域を分割した表示区画に特定の態様で配置されており、当該２０個のセグメントから選ばれた少なくとも１個以上のセグメントが動作状態とされることにより文字または記号の表示を行う表示素子を有する。
なお、本発明において、文字または記号とは、数字、アルファベット、符号、標章を含むものをいう。
【００２１】
図１は、本発明の表示装置の一構成例を示す平面図である。
表示装置１０は、表示面Ｍに１個の表示素子１１を有し、この表示素子１１の四辺形状の表示素子領域Ｒには２０個のセグメントＳ1 〜Ｓ20が配置されて構成されている。
表示素子領域Ｒは、全体の形状が、縦方向の長さＬよりも横方向の幅Ｗが小さい縦長の平行四辺形状であって、上方に向かうに従って右に変位するように斜傾している。
【００２２】
２０個のセグメントＳ1 〜Ｓ20は、図２に示すように、表示素子領域Ｒを縦方向および横方向に並ぶ５行（ｍ）５列（ｎ）の合計２５個の四辺形状の表示区画Ｄ（ｍ，ｎ）に分割された状態において、縦方向に並ぶ５行を上から下に第１行（ｍ＝１）、第２行（ｍ＝２）、第３行（ｍ＝３）、第４行（ｍ＝４）および第５行（ｍ＝５）とし、横方向に並ぶ５列を左から右に第１列（ｎ＝１）、第２列（ｎ＝２）、第３列（ｎ＝３）、第４列（ｎ＝４）および第５列（ｎ＝５）としたとき、以下（１）〜（４）に従って配置されて構成されている。
【００２３】
（１）第１行における５個の表示区画のうち、第１列および第５列に属する表示区画であるＤ（１，１）およびＤ（１，５）には、各々独立の１個のセグメントＳ1 およびＳ3 が配置されると共に、第２列、第３列および第４列に属する表示区画であるＤ（１，２），Ｄ（１，３）およびＤ（１，４）には、これらの表示区画にわたって連続する１個のセグメントＳ2 が配置される。
【００２４】
（２）第２行における５個の表示区画であるＤ（２，１），Ｄ（２，２），Ｄ（２，３），Ｄ（２，４）およびＤ（２，５）には、各々独立の１個のセグメントＳ4 ，Ｓ5 ，Ｓ6 ，Ｓ7 およびＳ8 が配置される。
【００２５】
（３）第３行および第４行における各５個の表示区画のうち、第３行第１列、第３行第２列、第３行第３列および第３行第４列の表示区画であるＤ（３，１），Ｄ（３，２），Ｄ（３，３）およびＤ（３，４）、並びに、第４行第１列、第４行第２列、第４行第３列および第４行第４列の表示区画であるＤ（４，１），Ｄ（４，２），Ｄ（４，３）およびＤ（４，４）には、各々独立の１個のセグメントＳ9 ，Ｓ10，Ｓ11，Ｓ12，Ｓ13，Ｓ14，Ｓ15，およびＳ16が配置されると共に、第３行第５列および第４行第５列の表示区画であるＤ（３，５）およびＤ（４，５）には、これらの表示区画にわたって連続する１個のセグメントＳ17が配置される。
【００２６】
（４）第５行における表示区画のうち、第１列および第５列に属する表示区画であるＤ（５，１）およびＤ（５，５）には、各々独立の１個のセグメントＳ18，Ｓ20が配置されると共に、第２列、第３列および第４列に属する表示区画であるＤ（５，２），Ｄ（５，３）およびＤ（５，４）には、これらの表示区画にわたって連続する１個のセグメントＳ19が配置される。
【００２７】
本発明において、「表示区画にわたって連続する」とは、隣り合う表示区画の境界を跨いで連なる状態のことをいう。
【００２８】
表示素子領域Ｒにおいては、第２行、第３行および第４行に属する表示区画に配置されたセグメントＳ4 〜Ｓ17において、第２列および第４列に属する表示区画に配置されたセグメントＳ5 ，Ｓ7 ，Ｓ10，Ｓ12，Ｓ14およびＳ16の横方向の幅が、第１列、第３列および第５列に属する表示区画に配置されたセグメントＳ4 ，Ｓ6 ，Ｓ8 ，Ｓ9 ，Ｓ11，Ｓ13，Ｓ15およびＳ17の横方向の幅よりも小さい。すなわち、表示素子領域Ｒを分割した表示区画において、第２列および第４列における表示区画の横方向の幅（ｗａ）が、第１列、第３列および第５列における表示区画の横方向の幅（ｗｂ）よりも小さい。具体的には、幅（ｗａ）と幅（ｗｂ）との比率（ｗａ／ｗｂ）が、（１／３）〜（４／５）であることが好ましい。
幅（ｗａ）が幅（ｗｂ）よりも小さいことにより、太線による表現、細線による表現が可能であるために、文字の大小を明確に区別して視認することができる。具体的には、サイズの小さい数字（図４参照）や小文字のアルファベット（図６参照）が表示可能となるので、サイズの大きい数字や大文字のアルファベットと区別して視認できる表示となり、これにより、添字を含む表示や小文字のアルファベットと記号とを含む表示などが可能となる（図８および図９参照）。
【００２９】
各セグメントＳ1 〜Ｓ20の形状は、各表示区画の全域を覆う四辺形状であることが好ましいが、各表示区画の全域を覆う形状に限定されず、例えば表示区画の四隅を角丸状に覆う形状であってもよい。
【００３０】
各セグメント間の間隙の大きさＧは、小さいことが好ましく、例えば間隙の大きさＧは、第１列における表示区画に配置されたセグメントの横方向の幅の１／５以下であることが好ましい。間隙の大きさＧが小さいことにより、視認性が向上すると共に、セグメントＳ1 〜Ｓ20を全て動作状態とすることで、略ベタ一面の表示が可能となる（図７参照）。
【００３１】
本実施例におけるセグメントＳの一構成例としては、例えばセグメントＳ1 の縦方向の長さｌ1 が１．０４４ｍｍ、横方向の幅ｗ1 が０．７２ｍｍであり、セグメントＳ5 の縦方向の長さｌ2 が１．０４４ｍｍ、横方向の幅ｗ2 が０．４０５ｍｍである。また、各セグメント間の間隙の大きさＧが０．０４５ｍｍである。
【００３２】
表示素子領域Ｒの全体の形状は、視認性が確保されれば、特に限定されないが、縦長の平行四辺形状であって、上方に向かうに従って右に変位するように、例えば角度（θ）８０〜８８°斜傾していることが好ましい。
【００３３】
本実施例における表示素子領域Ｒの一構成例としては、例えば縦方向の長さＬが５．４ｍｍ、横方向の幅Ｗが３．１５ｍｍであり、傾斜角度θが約８５°である。
【００３４】
表示装置１０には、表示すべき文字または記号に応じて、各セグメントＳ1 〜Ｓ20の動作状態を制御する制御機構（図示せず）が設けられている。
【００３５】
このような表示装置１０においては、表示すべき文字または記号に応じて、表示素子領域Ｒを構成する２０個のセグメントＳ1 〜Ｓ20うち、いずれかのセグメントが選択され、選択された少なくとも１個以上のセグメントが動作状態とされることにより、表示面Ｍに文字または記号が表示される。
【００３６】
図３〜図７に、本発明の表示装置１０の表示素子１１による文字や記号の表示例を示す。なお、図３〜図７において、黒塗り部分は、動作状態のセグメントを示す。
【００３７】
図３においては、表示素子１１によるサイズの大きい数字の一表示例を示す。例えば、上段の数字「２」は、セグメントＳ1 ，Ｓ2 ，Ｓ3 ，Ｓ8 ，Ｓ9 ，Ｓ10，Ｓ11，Ｓ12，Ｓ13，Ｓ18，Ｓ19，およびＳ20が動作状態とされることにより、表示状態となる。
図４においては、表示素子１１によるサイズの小さい数字の一表示例を示す。例えば、上段の数字「２」は、セグメントＳ2 ，Ｓ7 ，Ｓ10，Ｓ11，Ｓ12，Ｓ14，およびＳ19が動作状態とされることにより、表示状態となる。このように、横方向の幅が小さいセグメントＳ7 ，Ｓ10，Ｓ12およびＳ14が利用されることにより、サイズの小さい数字が表示可能となるので、サイズの大きい数字と識別することができ、これにより、添字を含む表示が可能となる（図８参照）。
【００３８】
図５においては、表示素子１１による大文字のアルファベットの一表示例を示す。例えば、上段のアルファベット「Ａ」は、セグメントＳ2 ，Ｓ4 ，Ｓ8 ，Ｓ9 ，Ｓ10，Ｓ11，Ｓ12，Ｓ13，Ｓ17，Ｓ18およびＳ20が動作状態とされることにより、表示状態となる。
図６においては、表示素子１１による小文字のアルファベットの一表示例を示す。例えば、上段のアルファベット「ａ」は、セグメントＳ4 ，Ｓ5 ，Ｓ6 ，Ｓ9 ，Ｓ11，Ｓ13，Ｓ14，Ｓ15，およびＳ16が動作状態とされることにより、表示状態となる。このように、横方向の幅が小さいセグメントＳ5 ，Ｓ14，およびＳ16が利用されることにより、小文字のアルファベットが表示可能となるので、大文字のアルファベットと識別することができ、これにより、小文字のアルファベットと記号とを含む表示などが可能となる（図９参照）。
【００３９】
図７においては、表示素子１１による記号の一表示例を示す。例えば、下段の記号「％」は、セグメントＳ1 ，Ｓ3 ，Ｓ7 ，Ｓ11，Ｓ14，Ｓ18およびＳ20が動作状態とされることにより、表示状態となる。
【００４０】
図３〜図７に示すように、本発明の表示装置１０の表示素子１１においては、サイズの大きい数字０ないし９、サイズの小さい数字０ないし９、大文字のアルファベットＡないしＺ、および、小文字のアルファベットａないしｚの全ての文字が選択的に表示可能な構成とすることができる。
なお、本発明の表示装置１０の表示素子１１において表示可能な文字または記号は、図３〜図７に示すものに限定されない。
【００４１】
本実施例における表示装置１０は、１個の表示素子１１を有するものであるが、通常、表示素子１１の複数個が横方向に並んで設けられるものである。
【００４２】
例えば、図８に示すように、表示装置１０Ａは、３個の表示素子１１を有し、これらの表示素子１１が表示面Ｍ内に横方向に並んで配置されている。
この表示装置１０Ａは、３個の表示素子１１が、各々独立に、文字または記号の表示が行われる表示状態、または、文字または記号の表示が行われない非表示状態とされることにより、表示面Ｍに文字または記号が組み合わされたものが表示される。
図８は、大文字のアルファベットとサイズの小さい数字との組み合わせである「ＣＯ2 」が表示された一例を示す。
【００４３】
また例えば、図９に示すように、表示装置１０Ｂは、図８に示す表示装置１０Ａと同様の構成を有し、図９に示す表示例では、小文字のアルファベットと記号との組み合わせである「ｖｏｌ％」が示されている。この表示例においては、表示装置１０Ｂにおける中央の表示素子１１には、２個の文字（図示の例では小文字のアルファベットである「ｏ」と「ｌ」）が表示されている。
このように、本発明の表示装置によれば、１個の表示素子に１個の文字または記号を表示することに限定されず、１個の表示素子に２個以上の文字または記号を表示することもできる。
【００４４】
本発明の表示装置は、サイズの小さい数字や小文字のアルファベットの表示が可能であることから、添字を含む表示や小文字のアルファベットと記号とを含む表示などが可能となるので、ガス検知器の表示部を構成するものとして好適に用いることができる。
また、本発明の表示装置は、表示素子を構成するセグメントが２０個であることから、特に液晶表示装置として構成する場合に、必要となる最高駆動電圧を低いものとすることができ、例えばガス検知器の表示部を構成する表示装置として有用である。
【００４５】
以上、本発明の実施形態について説明したが、本発明は上記の実施形態に限定されるものではなく、種々の変更を加えることができる。
例えば、表示素子領域は、全体の四辺形状が斜傾した状態ではなく、直立した状態であってもよい。
また例えば、表示素子の駆動方式は、限定されず、液晶表示素子や発光ダイオード素子、その他の方式を利用することができる。
【符号の説明】
【００４６】
１０，１０Ａ，１０Ｂ  表示装置
１１  表示素子
Ｄ    表示区画
Ｍ    表示面
Ｓ    セグメント
Ｒ    表示素子領域
【図１】
0005782315.tif 000002
【図２】
0005782315.tif 000003
【図３】
0005782315.tif 000004
【図４】
0005782315.tif 000005
【図５】
0005782315.tif 000006
【図６】
0005782315.tif 000007
【図７】
0005782315.tif 000008
【図８】
0005782315.tif 000009
【図９】
0005782315.tif 000010